(57)【要約】  本発明は、障害メッセージシステム及び空間的に分散配置された複数の生産ユニット（１）による障害メッセージの送出のための方法に関し、生産ユニット（１）は障害信号を発生及び表示するための手段（２）を有し、このシステムは障害メッセージの受信及び再生のために形成された障害メッセージボックス（６）を有し、障害メッセージを受信及び表示するための１つ又は複数の受信機器（７）を有する。複数の生産ユニット（１）は少なくとも１つのグループ（Ｉ〜ＩＩＩ）に配置され、各生産ユニット（１）には障害信号のワイヤレス伝送のために送信ユニット（３）が割り当てられており、各グループ（Ｉ〜ＩＩＩ）にはデータ受信ユニット（４）が割り当てられており、データ受信ユニット（４）は障害メッセージボックス（６）に接続されており、障害メッセージボックス（６）はプロセスコンピュータ（９）に接続されている。
2007527043.tif 000002
【特許請求の範囲】
【請求項１】
障害信号を発生及び表示するための手段を有する空間的に分散配置された複数の生産ユニットを有する障害メッセージシステムであって、該システムは、障害メッセージの受信及び再生のために構成された障害メッセージボックスを有し、障害メッセージを受信及び表示するための１つ又は複数の受信機器を有する、障害メッセージシステムにおいて、
複数の生産ユニット（１）は少なくとも１つのグループ（Ｉ〜ＩＩＩ）に配置され、各生産ユニット（１）には障害信号のワイヤレス伝送のために送信ユニット（３）が割り当てられており、各グループ（Ｉ〜ＩＩＩ）にはデータ受信ユニット（４）が割り当てられており、データ受信ユニット（４）は障害メッセージボックス（６）に接続されており、障害メッセージボックス（６）はプロセスコンピュータ（９）に接続されていることを特徴とする、障害メッセージシステム。
【請求項２】
データ受信ユニット（４）は障害メッセージを表示するための手段（５）を有することを特徴とする、請求項１記載の障害メッセージシステム。
【請求項３】
障害メッセージボックス（６）はネットワーク接続（８）を介してプロセスコンピュータ（９）に接続されていることを特徴とする、請求項１又は２記載の障害メッセージシステム。
【請求項４】
ネットワーク接続（８）はＬＡＮ接続であることを特徴とする、請求項３記載の障害メッセージシステム。
【請求項５】
プロセスコンピュータ（９）は更に別のネットワーク（１１）を介して更に別のコンピュータ（１２）に接続されていることを特徴とする、請求項１〜４のうちの１項記載の障害メッセージシステム。
【請求項６】
障害メッセージボックス（６）はデータ処理ユニット（６ａ）を有することを特徴とする、請求項１〜５のうちの１項記載の障害メッセージシステム。
【請求項７】
空間的に分散配置された複数の生産ユニットから障害メッセージを送出するための方法であって、生産ユニットにより発生される障害信号は障害メッセージボックスに供給され、障害メッセージボックスは障害メッセージを１つ又は複数の受信機器に障害メッセージの受信及び表示のために供給する、空間的に分散配置された複数の生産ユニットから障害メッセージを送出するための方法において、
生産ユニットは少なくとも１つのグループを形成し、グループの生産ユニットの障害信号はデータ受信ユニットに供給され、データ受信ユニットは各グループの障害信号を障害メッセージボックスに転送し、障害メッセージは障害メッセージボックスから付加的にプロセスコンピュータに供給されることを特徴とする、空間的に分散配置された複数の生産ユニットから障害メッセージを送出するための方法。
【請求項８】
生産ユニットの障害信号はデータ受信ユニット（４）によって表示されることを特徴とする、請求項７記載の障害メッセージシステム。
【請求項９】
生産ユニットの障害信号は障害メッセージへの変換のために障害メッセージボックスにおいて処理されることを特徴とする、請求項７及び８記載の障害メッセージシステム。
【請求項１０】
障害信号は障害メッセージボックスにおいて予め決定された期間存在する場合にはじめて障害メッセージに変換されることを特徴とする、請求項９記載の方法。
【請求項１１】
障害信号は以前の障害信号の最後の発生の後で所定の期間が経過した時にはじめて障害メッセージに変換されることを特徴とする、請求項９記載の方法。
【請求項１２】
障害メッセージボックスからプロセスコンピュータへの障害メッセージの転送と受信機器への障害メッセージの転送とは異なる期間の後で行われることを特徴とする、請求項７〜１１のうちの１項記載の方法。
【発明の詳細な説明】
【技術分野】
【０００１】
本発明は、空間的に分散配置された複数の生産ユニットによる障害メッセージの送出のための障害メッセージシステム及び方法に関し、生産ユニットは障害信号を発生及び表示するための手段を有し、このシステムは、障害メッセージの受信及び再生のために構成された障害メッセージボックスを有し、障害メッセージを受信及び表示するための１つ又は複数の受信機器を有する。
【０００２】
警報及びプロセスデータを伝達するための回路装置が公知であり、この回路装置では装置のデータが制御部によってバスシステムを介して個別のアラーム制御部に供給され、そこからモデムを介してネットワークプロバイダのネットワークに供給される。次いでデータは認証された人物の移動電話へと伝送される（ＤＥ１９６５４８５９Ｃ１）。データメモリ、プログラムメモリ及び音声合成器ならびに接続されたディスプレイ及びキーボードを各装置においてアラーム制御部に設けることは、とりわけ空間的に分散配置された複数の装置においては非常にコスト高である。さらに、全データは別個に接続されるモデムを介してのみネットワークプロバイダに供給され、このネットワークプロバイダを介してこれらのデータがさらに相応の宛先に転送される。
【０００３】
本発明の課題は、簡単に構成されかつ容易に設置される障害メッセージシステムを提供することであり、この障害メッセージシステムはフレキシブルに様々な生産ユニットに適合でき、とりわけ空間的に分散配置された生産ユニットにおいて障害メッセージの改善された表示を可能にする。さらに、本発明の課題は、このような障害メッセージシステムの動作のための方法を提供することである。
【０００４】
本発明の第１の課題は、複数の生産ユニットは少なくとも１つのグループに配置され、各生産ユニットには障害信号のワイヤレス伝送のために送信ユニットが割り当てられており、各グループにはデータ受信ユニットが割り当てられており、データ受信ユニットは障害メッセージボックスに接続されており、障害メッセージボックスはプロセスコンピュータに接続されていることによって解決される。
【０００５】
障害信号をデータ受信ユニットに伝達するために各生産ユニットに送信ユニットを割り当てることは、生産ユニットの障害メッセージシステムへの簡単な統合を可能にする。この利点は、更に別の生産ユニットを障害メッセージシステムに後日装備することによって拡張する際にとりわけ明白である。
【０００６】
生産ユニットをグループにまとめることによって、生産ユニットは技術的な視点によってとらえられる。よって、有利には、個々の製造ラインの生産ユニットはそれぞれ１つのグループにまとめられる。各グループへのデータ受信ユニットの割り当てによって、とりわけ迅速なやり方で個々のグループに障害が割り当てられる。
【０００７】
有利な実施形態においては、データ受信ユニットは障害信号を表示するための手段、とりわけランプを有する。生産ユニットの空間的に分離された配置のため、データ受信ユニットにおけるこのような表示は瞬時の状況の検出に、とりわけ障害の迅速な位置確認に役立つ。
【０００８】
プロセスコンピュータと障害メッセージボックスの接続は、さらに、ドキュメンテーション及び評価のために障害メッセージを転送することを可能にする。これは障害メッセージボックスによる受信機器への、例えば生産ユニットの責任者の移動電話への障害メッセージの転送からは完全に独立している。
【０００９】
プロセスコンピュータの生産ユニットからの空間的分離のために障害メッセージボックスをネットワーク接続を介してプロセスコンピュータと接続し、この結果、プロセスコンピュータのネットワーク内での設置位置が自由に選択可能であることは有利である。ＬＡＮ接続としてのネットワーク接続の形成はとりわけ有利である。
【００１０】
更なる生産プランニング及び生産制御のために、プロセスコンピュータを更に別のネットワークを介して更に別のコンピュータと接続することは有利である。
【００１１】
障害メッセージシステムをその都度の利益に最適に適合させるためには、障害メッセージボックスにおける障害信号の処理が有利である。障害メッセージボックスはこの目的のためにデータ処理ユニットを有する。こうして、いつ障害メッセージが障害メッセージボックスから転送されるかが精確に定められる。
【００１２】
本発明の第２の課題は、生産ユニットが少なくとも１つのグループを形成し、グループの生産ユニットの障害信号がデータ受信ユニットに供給され、データ受信ユニットがそれぞれのグループの障害信号を障害メッセージボックスに転送し、障害メッセージが障害メッセージボックスから付加的にプロセスコンピュータに供給されることによって解決される。
【００１３】
この方法の利点は、生産ユニットのグループの障害信号がそれぞれデータ受信ユニットに伝送されることによって、障害がとりわけ簡単にそれぞれのグループに割り当て可能であることにある。
【００１４】
有利な実施形態では、障害信号が個々のデータ受信ユニットにおいて有利にはランプによって視覚化される場合に、個々のグループへの障害の割り当て乃至は障害に見舞われたグループの視覚化が改善される。とりわけ複数の生産ユニットが複数のグループに、例えば製造ラインにまとめられているならば、責任者による障害の位置確認がはるかに簡略化される。
【００１５】
さらに、有利には、障害メッセージへの変換の前に障害信号を処理する。これによって、いつ障害メッセージが現れるかが精確に定められる。障害メッセージボックスからプロセスコンピュータへの障害メッセージの転送に関連して、障害メッセージの付加的な処理を必要とすることなしに、実際の障害メッセージだけが検出され、後続のドキュメンテーション、分析及び制御のために提供される。
【００１６】
生産ユニットにおいて障害メッセージに基づいて障害を除去するために必要な処置が講じられる場合には、この処置の経過中に、例えばテスト動作において、障害信号の新たな発生及び障害信号の障害メッセージボックスへの新たな転送が生じうる。このような障害信号を障害メッセージとしては検出しないために、有利な実施形態では、障害信号が予め決定された期間に障害メッセージボックスで受信される場合にのみこれらの障害信号は障害メッセージに変換される。これによって、生産ユニットの責任者に対して不必要な障害メッセージがこの責任者の受信機器において表示されてしまうことが回避される。なぜなら、この責任者は既に障害の除去に従事しているからである。このような障害信号がプロセスコンピュータに転送されることも同様にほとんどなくなり、この結果、検出される障害メッセージが実際の障害を反映する。
【００１７】
障害メッセージボックスにおける予め決定された期間の変更はとりわけ簡単に次のことによって実現される。すなわち、障害信号の受信によって上昇する信号が発生され、閾値に到達するときに初めて障害メッセージが発生される。閾値の高さ及び信号の上昇勾配を介してこの期間が任意に調整される。
【００１８】
生産ユニットにおける障害の除去の間にしばしば次のことが起こる。すなわち、比較的短い間隔で障害信号が発生され、障害メッセージボックスに転送され、障害信号が相応の信号レベルで受信され、この結果、これらの障害信号が障害メッセージに変換されてしまう。このような障害メッセージは本発明の更に別の実施形態によれば次のことによって回避される。すなわち、障害メッセージの後の障害信号は、その前の障害信号が予め決定された期間減衰された場合にようやく再び障害メッセージボックスによって検出される。
【００１９】
さらに、有利には、障害メッセージボックスから伝達される障害メッセージをプロセスコンピュータと責任者の受信機器とに異なる時間間隔で転送する。よって、精確な記録のために既に５秒後に障害メッセージが障害メッセージボックスからプロセスコンピュータへと転送され、他方で責任者の受信機器には例えばようやく１分後に伝達が行われる。
【００２０】
実施例において本発明を詳しく説明する。
【００２１】
図１は本発明の障害メッセージシステムのブロック線図を示し、
図２は生産ユニット及び障害メッセージボックスの信号経過を示し、
図３は生産ユニット及び障害メッセージボックスの第２の信号経過を示す。
【００２２】
図１に図示された障害メッセージシステムは、製造ラインとして複数のグループＩ〜ＩＩＩを形成する複数の生産ユニット１から成る。これらの生産ユニットは障害信号を表示するための手段２を有する。各生産ユニット１には送信ユニット３が割り当てられており、この送信ユニット３はその都度の障害信号をワイヤレスで各グループＩ〜ＩＩＩに割り当てられたデータ受信ユニット４に送信する。データ受信ユニット４は相応のランプ５を使用し、この結果、障害信号が視覚的に示される。次いで、障害信号はデータ受信ユニット４から障害メッセージボックス６に転送される。以下において記述されるように、障害信号からは障害メッセージボックス６のデータ処理ユニット６ａにおいて障害メッセージが発生されると、この障害メッセージがＳＭＳの形式において生産ユニット１の責任者の、とりわけ技術者の移動無線電話７に転送され、この技術者はこれに基づいて相応の処置を講ずることができる。
【００２３】
同時に障害メッセージは障害メッセージボックス６からＬＡＮとして形成されたネットワーク８を介してプロセスコンピュータ９に転送される。そこで障害メッセージを評価可能にデータバンク内に格納するために、これらの障害メッセージには初期化データ及び／又は記録データが設けられる。このデータバンクはプロセスコンピュータ９又は別個のデータメモリ１０にあり、この別個のデータメモリ１０にプロセスコンピュータ９は更に別のネットワーク１１を介して接続されている。ネットワーク１１においては更に別のコンピュータ１２が含まれており、これらの更に別のコンピュータ１２はこれらのデータをデータメモリ１０又はプロセスコンピュータ９から呼び出すことができる。
【００２４】
図２は上の線図において生産ユニットにより発生される障害信号を示す。真ん中の線図は障害メッセージボックス６のデータ処理ユニット６ａにおける生産ユニット１から伝達された障害信号の信号処理を示し、他方で下の線図は障害メッセージボックス６により発生される障害メッセージを示す。上の線図は、時点ｔ１において発生する障害を示し、それゆえ障害信号が生産ユニット１によって発生される。障害メッセージボックス６に送信されたこの障害信号はこの障害メッセージボックス６において上昇するレベルを有する障害信号として処理される。時点ｔ２においてこの障害信号は閾値に到達し、この時点ｔ２から下の線図においてこの障害信号は障害メッセージに変換される。
【００２５】
時点ｔ３及びｔ５において生産ユニット１で発生する障害が障害信号の発生を引き起こす。時点ｔ４乃至はｔ６までのこれらの障害信号の時間的な長さは、閾値に到達するのには十分ではない。この結果、これらの障害信号は相応の障害メッセージには変換されない。このように短い障害信号は、大抵の場合、修理又はこの修理に結びついたテストランを有するメンテナンスによるものであり、従って本物の障害ではない。
【００２６】
図３に図示された線図は先行するイベントに依存する信号経過を示す。上の線図は生産ユニット１により発生される障害信号を示す。真ん中の線図は障害メッセージボックス６における生産ユニット１から伝達された障害信号の信号処理を示し、他方で下の線図は発生される障害メッセージを示す。
【００２７】
時点ｔ１に生産ユニット１で発生する障害は障害信号を発生する。障害メッセージボックス６に送信された障害信号はこの障害メッセージボックス６において上昇するレベルを有する障害信号として処理される。時点ｔ２においてこの障害信号が閾値に到達し、この時点ｔ２からこの障害信号は下の線図において障害メッセージに変換される。時点ｔ３において障害信号は生産ユニット１ではもはや発生しない。障害メッセージボックス６における障害信号はこれによりｔ５までの所定の期間を介して閾値から０へと戻される。この期間の間に供給される障害信号（ｔ４）は障害メッセージボックス６において検出されない。このようにして、試験動作を示す短時間のうちに連続して生ずる生産ユニット１の障害信号は、フィルタリングされ除去される。この結果、実際の障害だけが障害メッセージとして責任者の受信機器及びプロセスコンピュータに伝達される。ようやく生産ユニット１の障害が時点ｔ６において真ん中の線図の障害メッセージボックス６における障害信号をトリガする。
【図面の簡単な説明】
【００２８】
【図１】本発明の障害メッセージシステムのブロック線図を示す。
【図２】生産ユニット及び障害メッセージボックスの信号経過を示す。
【図３】生産ユニット及び障害メッセージボックスの第２の信号経過を示す。
【符号の説明】
【００２９】
１  生産ユニット
２  障害信号の表示のための手段
３  送信ユニット
４  データ受信ユニット
５  ランプ
６  障害メッセージボックス
６ａ  データ処理ユニット
７  移動無線電話
８  ネットワーク
９  プロセスコンピュータ
１０  別個のデータメモリ
１１  更に別のネットワーク
１２  更に別のコンピュータ
【図１】
2007527043.tif 000003
【図２】
2007527043.tif 000004
【図３】
2007527043.tif 000005
【手続補正書】
【提出日】平成17年7月25日(2005.7.25)
【手続補正１】
【補正対象書類名】特許請求の範囲
【補正対象項目名】請求項１
【補正方法】変更
【補正の内容】
【請求項１】
障害信号を発生及び表示するための手段を有する空間的に分散配置された複数の生産ユニットを有する障害メッセージシステムであって、該システムは、障害メッセージの受信及び再生のために構成された障害メッセージボックスを有し、障害メッセージを受信及び表示するための１つ又は複数のデータ受信ユニットを有する、障害メッセージシステムにおいて、
複数の生産ユニット（１）は少なくとも１つのグループ（Ｉ〜ＩＩＩ）に配置され、各生産ユニット（１）には障害信号のワイヤレス伝送のために送信ユニット（３）が割り当てられており、各グループ（Ｉ〜ＩＩＩ）にはデータ受信ユニット（４）が割り当てられており、データ受信ユニット（４）は障害メッセージボックス（６）に接続されており、障害メッセージボックス（６）はプロセスコンピュータ（９）に接続されていることを特徴とする、障害メッセージシステム。
【手続補正２】
【補正対象書類名】特許請求の範囲
【補正対象項目名】請求項７
【補正方法】変更
【補正の内容】
【請求項７】
空間的に分散配置された複数の生産ユニットから障害メッセージを送出するための方法であって、生産ユニットにより発生される障害信号は障害メッセージボックスに供給され、障害メッセージボックスは障害メッセージを１つ又は複数のデータ受信ユニットに障害メッセージの受信及び表示のために供給する、空間的に分散配置された複数の生産ユニットから障害メッセージを送出するための方法において、
生産ユニットは少なくとも１つのグループを形成し、グループの生産ユニットの障害信号はデータ受信ユニットに供給され、データ受信ユニットは各グループの障害信号を障害メッセージボックスに転送し、障害メッセージは障害メッセージボックスから付加的にプロセスコンピュータに供給されることを特徴とする、空間的に分散配置された複数の生産ユニットから障害メッセージを送出するための方法。
【国際調査報告】
2007527043.tif 000006
2007527043.tif 000007
2007527043.tif 000008
2007527043.tif 000009
2007527043.tif 000010
2007527043.tif 000011